(57)【要約】      （修正有）【課題】限られた墓地区画スペースであっても、周囲に装飾用の植物を配置することが可能であると共に、土を掘り起こして植物を取り除くなどの作業なく納骨を行うことが可能な墓を提供する。【解決手段】墓構造１０は、戒名等の情報が表示される墓碑部１００と、遺骨の出し入れを行うための挿通口を有する納骨部２００と、装飾用の植物の一部が植え込まれる植物植込用容器３００とを備え、納骨部２００は、墓碑部１００の下方に配置され、植物植込用容器３００は、納骨部２００の挿通口側に隣接し、且つ取り外し可能な状態で配置される。【選択図】図１
0003178990.tif 000002
【実用新案登録請求の範囲】
【請求項１】
周囲に装飾用の植物が配置される墓構造であって、
戒名等の情報が表示される墓碑部と、
遺骨の出し入れを行うための挿通口を有する納骨部と、
前記装飾用の植物の一部が植え込まれる植物植込用容器と、
を備え、
前記納骨部は、前記墓碑部の下方に配置され、
前記植物植込用容器は、前記納骨部の前記挿通口側に隣接し、且つ取り外し可能な状態で配置されることを特徴とする墓構造。
【請求項２】
さらに、花立・香炉立等の墓付属品が設置される付属品設置部を備える請求項１に記載の墓構造。
【請求項３】
前記付属品設置部は、前記植物植込用容器の上端縁に支持されて配置される請求項２に記載の墓構造。
【請求項４】
前記付属品設置部は、前記植物植込用容器から取り外し可能な状態で配置される請求項２又は３に記載の墓構造。
【考案の詳細な説明】
【技術分野】
【０００１】
本考案は、周囲に装飾用の植物が配置される墓構造に関する。
【背景技術】
【０００２】
核家族化、人口の都市集中、少子高齢化等、現代日本における社会構造及び日本人の生活様式の変化に起因して、以前から、都市部の墓地・霊園（以下、「墓地等」という。）に対する需要が高い。また、近年、その傾向に拍車がかかっている。
【０００３】
しかしながら、都市部では、墓地等として利用できる土地面積が限られており、墓地区画の更なる需要に対して供給が追い付かない状況が生じている。そのような状況に鑑み、墓の構造等に工夫を凝らし、その小型化・省スペース化を図り、墓地敷地内に多くの墓地区画を設ける等の工夫がなされている。
【０００４】
一方で、墓購入者（購入希望者）の嗜好も多様化する傾向にあり、それに対応又は先取りする形で、墓碑の形状、配置及び墓地区画全体の装飾的要素に工夫が施された美観性の高い墓（地）も提供されている。その一例として、墓地区画に立設された墓碑の周囲に装飾用の植物（草花）を配置した、いわゆるガーデニング墓を挙げることができる。
【０００５】
このガーデニング墓に関する技術として、下記特許文献１が開示されている。特許文献１に記載の技術は、墓の間口側から奥側にかけて幅が狭まる墓所を有する墓地の構造であり、隣接する墓所同士は、間口が逆になるよう配置されて墓地の省スペース化が図られると共に、各々の墓所には、間口側の建墓ゾーンと、その奥に緑化ゾーンが設けられ、墓所の美観の向上が図られる。また、ガーデニング墓としても利用可能な墓に関する技術として、下記特許文献２が開示されている。
【先行技術文献】
【特許文献】
【０００６】
【特許文献１】実用新案登録第３１１１８５３号公報
【特許文献２】実用新案登録第３１５４４７２号公報
【考案の概要】
【考案が解決しようとする課題】
【０００７】
しかしながら、上記特許文献に記載の技術は、墓所中の墓碑（墓石）以外の領域のすべてに植物を配置することが想定されていないため、墓碑の周りを植物が取り囲む欧米型の墓へのニーズに対して十分に応えることが難しい。また、仮に、墓碑以外の領域に植物を配置できたとしても、納骨を行う際は、別途植物を取り除かなければならない。そのため、納骨に係る作業負担が増大すると共に、植物を植え込むための土が、納骨室内部に侵入する危険性が高く、納骨室を汚してしまう可能性が高い。また、植物を取り除く際、葉、茎、根などの植物の構成要素を傷めてしまう危険性も高い。
【０００８】
上記課題に鑑み、本考案は、墓の省スペース化を図ることで、敷地の狭い墓地区画であっても、植物が周囲に一様に配置される欧米型に近い墓を提供可能であると共に、納骨の際の作業負担が少なく、墓の周囲の環境を容易に元の状態に戻すことが可能な墓構造を提供することを目的とする。
【課題を解決するための手段】
【０００９】
前記課題を解決するための本考案に係る墓構造は、
戒名等の情報が表示される墓碑部と、
遺骨の出し入れを行うための挿通口を有する納骨部と、
前記装飾用の植物の一部が植え込まれる植物植込用容器と、
を備え、
前記納骨部は、前記墓碑部の下方に配置され、
前記植物植込用容器は、前記納骨部の前記挿通口側に隣接し、且つ取り外し可能な状態で配置されることを特徴とする。
【００１０】
また、本考案に係る墓構造は、花立・香炉立等の墓付属品が設置される付属品設置部を備えることが好ましい。さらに、前記付属品設置部は、前記植物植込用容器の上端縁に支持されて配置されることが好ましく、前記植物植込用容器から取り外し可能な状態で配置されることが好ましい。
【考案の効果】
【００１１】
本考案によれば、墓碑部の下方に納骨部を配置することで、墓の省スペース化が可能であると共に、墓の周囲に配置される植物の一部が植え込まれる植物植込用容器が、取り外し可能な状態で配置されることで、納骨の際の作業負担が少なく、墓の周囲の環境を容易に元の状態に戻すことが可能な墓構造を提供することができる。
【図面の簡単な説明】
【００１２】
【図１】本考案に係る実施形態の斜視図。
【図２】植物植込用容器等を取り外した状態の本実施形態の斜視図。
【図３】周囲に植物を配置した状態の本実施形態の正面図。
【考案を実施するための形態】
【００１３】
以下、図面を参照して本考案の望ましい実施形態を詳細に説明する。但し、本考案は多くの異なる態様で実施することが可能であり、以下に示す実施の形態の記載内容に限定して解釈されるものではない。
【００１４】
まず、図１及び図２を参照して、本考案に係る実施形態について詳細に説明する。図１は、本考案に係る実施形態の斜視図、図２は、植物植込用容器等を取り外した状態の本実施形態の斜視図である。図１及び図２に示すように、本実施形態に係る墓構造１０は、墓碑部１００、納骨部２００、植物植込用容器３００、付属品設置部４００等を備える構成である。
【００１５】
墓碑部１００の表面には、戒名等の情報が表示される。また、図１及び図２に示すように、墓碑部１００の下方には、納骨部２００が配置される。納骨部２００の内部は、空洞となっており、そこに遺骨が納められる。本実施形態では、納骨部２００は、地上に現れる納骨室２００Ａと地下に埋設される納骨室２００Ｂとにより構成されるようにしている。
【００１６】
なお、納骨部２００には、挿通口２１０が設けられており、納骨部２００への遺骨の出し入れは、この挿通口２１０を介して行われる。ただし、遺骨の出し入れの方法は、これに限られるものではない。このように、墓碑部１００の下方に納骨部２００を配置することにより、墓全体の省スペース化を図ることができる。
【００１７】
植物植込用容器３００は、墓構造１０の周囲に配置される装飾用の植物の一部を配置するためのものである。植物植込用容器３００には、内部に土が充填され、装飾用の植物が植え込まれる。本実施形態では、植物植込用容器３００は、上面開口の箱型の形態を有する。ただし、植物を植込み可能な形態であれば、これに限られない。
【００１８】
植物植込用容器３００は、取り外し可能な状態で、納骨部２００の挿通口２１０側に隣接して配置される（本実施形態では、墓碑部１００及び納骨部２００の前方の領域に配置されている）。
【００１９】
取り外される前の植物植込用容器３００は、図１に示すように、納骨部２００の挿通口２１０を覆い隠すように配置される。それにより、納骨作業等のない通常の場合、納骨部２００の内部に周囲の土が入ることを防止することができる。
【００２０】
一方で、植物植込用容器３００が、上記位置から取り外されると、納骨部２００の挿通口２１０が外部に露出する。これにより、挿通口２１０の覆いが取り除かれ、納骨部２００の内部に、遺骨を納めることができるようになる。
【００２１】
このように、植物植込用容器３００が、元の位置から取り外し可能な状態で、納骨部２００の挿通口２１０に隣接して配置されることで、墓構造１０の周囲の全方位に装飾用の植物を配置することができ、且つ植物植込用容器３００を取り外すだけの簡易な作業によって、納骨部２００の内部に土を浸入させることなく、納骨を行うことができる。また、納骨の際に、別途植物を取り除く必要がないため、植物の根や茎を痛めることもない。
【００２２】
植物植込用容器３００の両側部には、植物植込用容器３００を取り外す際の手掛け用の孔３１０が設けられることが好ましい。これにより、取り外しの際の作業負担が軽減される。また、植物植込用容器３００の側部や底部などに水抜き３２０を設ければ、別段の人的作業を伴うことなく、内部に充填される土の水分量を適切に保つことができる。
【００２３】
なお、図１及び図２に示すように、本実施形態では、植物植込用容器３００が、図の手前側に向かって２つ連設される構成としているが、これに限られるものではない。すなわち、植物植込用容器３００を一つのみ配置する構成であってもよいし、逆に、３つ以上連設させるような構成であってもよい。
【００２４】
次に、付属品設置部４００は、花立４１０、香炉立４２０などの墓の附属品を設置するためのものである。附属品設置部４００は、図１及び図２に示すように、平板形の形状を有し、上述した植物植込用容器３００の上端縁３３０と当接し、それに支持されて配置されることが好ましい。また、附属品設置部４００は、植物植込用容器３００から取り外し可能な状態で配置されることが好ましい。
【００２５】
このように、附属品設置部４００が、植物植込用容器３００の上方に配置可能な構造とすることで、植物植込用容器３００が配置される領域において、植物以外の他の物品を置くことができ、限られた面積の墓地区画を有効に活用することができる。
【００２６】
また、植物植込用容器３００から、附属品設置部４００を簡易に取り外すことが可能であるため、植物植込用容器３００の他に附属品設置部４００を設置しても、納骨時に余分な作業負担が掛かるなどの不具合を生じさせない。
【００２７】
さらに、墓使用者の嗜好に応じて、附属品設置部４００の取付の有無を選択することが可能な構造であるため、多様化する墓使用のニーズに適切に応えることが可能となる。
【００２８】
ただし、附属品設置部４００の形状は、花立４１０や香炉立４２０などの墓附属品を設置できる形状であれば、特に限定されるものではない。また、附属品設置部４００の設置手段についても、限定されるものではない。
【００２９】
次に、図３を参照する。図３は、周囲に植物を配置した状態の墓構造１０の正面図である。図３に示すように、本考案に係る墓構造１０によれば、周囲の全方位に装飾用の植物を配置させることが可能で、墓地全体及び個々の区画スペースが日本のような限られた面積であったとしても、欧米型に近いガーデンニング墓を提供することができる。
【００３０】
また、図３に示すように、本考案に係る墓構造１０を複数隣接させることにより、西洋式庭園のような装飾的効果に富む墓地を設計することが可能となる。それにより、従来型の殺風景な墓地のイメージを一新し、さらに、周辺地域の緑化促進を図ることが可能となる。
【符号の説明】
【００３１】
１０        墓構造
１００      墓碑部
２００      納骨部
２１０      挿通口
３００      植物植込用容器
３１０      手掛け用の孔
３２０      水抜き
４００      附属品設置部
４１０      花立
４２０      香炉立
５００      装飾用の植物
【図１】
0003178990.tif 000003
【図２】
0003178990.tif 000004
【図３】
0003178990.tif 000005